(57)【要約】【課題】液体の種類を判別可能な液体収容体、液体収容体を備えるカートリッジを提供する。【解決手段】液体収容体３１は、液体収容袋１３、口栓７０、第一突出部８３、第二突出部８５を備える。液体収容袋３１は、可撓性を有し、液体を収容可能である。口栓７０は、液体収容袋１３に接続する。第一突出部８３は、口栓７０に接続し、液体収容袋１３の面に交わる方向に延びる。第二突出部８５は、口栓７０を隔てて第一突出部８３とは反対側において口栓７０に接続する。第二突出部８５は液体収容袋１３の面に交わる方向に第一突出部８３と対向して延びる。第二突出部８５は第一突出部８３よりも口栓７０の軸線を含む面からの長さが短い。【選択図】図８
2015199331.tif 000002
【特許請求の範囲】
【請求項１】
可撓性を有し、液体を収容可能な液体収容部と、
前記液体収容部に接続する中空の口栓と、
前記口栓に接続し、前記液体収容部の面に交わる方向に延びる第一突出部と、
前記口栓を隔てて前記第一突出部とは反対側において前記口栓に接続し、且つ前記液体収容部の面に交わる方向に前記第一突出部と対向して延び、前記第一突出部よりも、前記口栓の軸線を含む面からの長さが短い第二突出部と
を備えることを特徴とする液体収容体。
【請求項２】
前記第二突出部は、突出端部で前記第一突出部から離間する方向に屈曲して前記液体収容部側に延びることを特徴とする請求項１に記載の液体収容体。
【請求項３】
前記口栓の外側の面に設け、前記第一突出部と前記第二突出部が並ぶ方向に延びる平面部を更に備え、前記平面部を隔てて前記第一突出部と前記第二突出部が並ぶことを特徴とする請求項１又は２に記載の液体収容体。
【請求項４】
前記口栓とは別体であり且つ前記口栓に取付け可能な取付部を更に備え、前記取付部は前記第一突出部と前記第二突出部を備えることを特徴とする請求項１から３のいずれかに記載の液体収容体。
【請求項５】
前記取付部に設け、第一姿勢と第二姿勢において前記口栓に係合する係合部を更に備え、
前記第一姿勢は、前記第一突出部が前記口栓に対して、前記口栓の軸線に直交し且つ前記液体収容部の面に平行な第一方向側に位置し、且つ前記第二突出部が前記口栓に対して前記第一方向の反対方向である第二方向側に位置する姿勢であり、
前記第二姿勢は、前記第一突出部が前記口栓に対して前記第二方向側に位置し、且つ前記第二突出部が前記口栓に対して前記第一方向側に位置する姿勢であることを特徴とする請求項４に記載の液体収容体。
【請求項６】
液体収容体と、前記液体収容体を支持するケースを備えるカートリッジにおいて、
前記液体収容体は、
可撓性を有し、液体を収容可能な液体収容部と、
前記液体収容部に接続する中空の口栓と、
前記口栓に接続し、前記液体収容部の面に交わる方向に延びる第一突出部と、
前記口栓を隔てて前記第一突出部とは反対側において前記口栓に接続し、且つ前記液体収容部の面に交わる方向に前記第一突出部と対向して延び、前記第一突出部よりも、前記口栓の軸線を含む面からの長さが短い第二突出部と
を備え、
前記ケースは、
前記液体収容体を支持可能であり、且つ前記口栓の軸線方向に延びる支持壁部と、
前記支持壁部における前記軸線方向の一端側に設け、且つ前記第一突出部が突出可能な開口部である第一開口部と
を備えることを特徴とするカートリッジ。
【請求項７】
前記ケースは、前記支持壁部における前記液体収容体側の内面の反対側の外面に設けた、溝部を更に備え、
前記溝部は、前記支持壁部から前記液体収容体に向かう方向に凹み、且つ前記軸線方向に延び、
前記第一開口部は、前記溝部の一端側に設けたことを特徴とする請求項６に記載のカートリッジ。
【請求項８】
前記溝部は、二つの前記溝部である第一溝部と第二溝部であり、
前記第二突出部は、突出端部で前記第一突出部から離間する方向に屈曲して前記液体収容部側に延び、
前記第一開口部は、前記第一溝部に設け、
前記ケースは、前記第二溝部における前記内面に設け、前記第一開口部の開口面に交差する方向に開口する第二開口部を形成する壁部である開口壁部を更に備え、
前記第二突出部は前記第二開口部に係合可能であることを特徴とする請求項７に記載のカートリッジ。
【請求項９】
前記液体収容体は、
前記第一突出部に設け、前記支持壁部における前記外面に係合可能な爪部である第一係合爪と、
前記第二突出部に設け、前記第二開口部の内側に係合可能な爪部である第二係合爪と
を更に備えたことを特徴とする請求項８に記載のカートリッジ。
【請求項１０】
前記口栓は、前記第一突出部と前記第二突出部とが並ぶ方向において、前記第一係合爪と前記第二係合爪の間の中心位置を含む領域に設けたことを特徴とする請求項９に記載のカートリッジ。
【請求項１１】
前記液体収容体は、
前記第一突出部と前記第二突出部を設け、前記口栓とは別体であり且つ前記口栓に取付け可能な取付部と、
前記取付部に設け、第一姿勢と第二姿勢において前記口栓に係合する係合部と
を更に備え、
前記第一姿勢は、前記第一突出部が前記口栓に対して、前記口栓の軸線に直交し且つ前記液体収容部の面に平行な第一方向側に位置し、且つ前記第二突出部が前記口栓に対して前記第一方向の反対方向である第二方向側に位置する姿勢であり、
前記第二姿勢は、前記第一突出部が前記口栓に対して前記第二方向側に位置し、且つ前記第二突出部が前記口栓に対して前記第一方向側に位置する姿勢であり、
前記第一開口部は、前記第一溝部と前記第二溝部の両方に設け、
前記第一溝部に設けた前記第一開口部は、前記第一姿勢にある前記取付部の前記第一突出部が突出可能な位置に設け、
前記第二溝部に設けた前記第一開口部は、前記第二姿勢にある前記取付部の前記第一突出部が突出可能な位置に設け、
前記開口壁部は、前記第一溝部と前記第二溝部の両方の前記内面に設け、
前記第一溝部の前記内面に設けた前記開口壁部は、前記第二姿勢にある前記取付部の前記第二突出部が係合する位置に設け、
前記第二溝部の前記内面に設けた前記開口壁部は、前記第一姿勢にある前記取付部の前記第二突出部が係合する位置に設けたことを特徴とする請求項８から１０のいずれかに記載のカートリッジ。
【発明の詳細な説明】
【技術分野】
【０００１】
本発明は液体を収容可能な液体収容体と液体収容体を備えるカートリッジに関する。
【背景技術】
【０００２】
従来、液体を収容可能な液体収容体、液体収容体を備えるカートリッジは公知である。例えば特許文献１に記載のインクカートリッジは、液体であるインクを収容可能なインク袋、インク袋を収納可能なケースを備える。インク袋はインク袋に収容したインクを取り出す口栓を備える。ケースは第一中間脚部と第二中間脚部を備える。第一中間脚部と第二中間脚部はケースの左壁の外面から突出する。第一中間脚部と第二中間脚部はケース内に収容したインクの色に応じた範囲に設けたインクの色指標部として機能する。
【先行技術文献】
【特許文献】
【０００３】
【特許文献１】特開２０１２−２１０７２９号公報
【発明の概要】
【発明が解決しようとする課題】
【０００４】
インク袋内部のインクは色、粘度等の種類が異なる。従来のインクカートリッジはケースに色を判別する為の色指標部を設ける。色指標部はインク袋に設けないので、インク袋単体の時、インク袋内部のインク種類は判別できない。例えばインク袋が不透明でインク袋の内部のインクを目視できない時、インク色は判別できない。インク袋が透明でも、目視でインク袋内部のインク種類が判別できない場合がある。
【０００５】
本発明の目的は、液体の種類を判別可能な液体収容体、液体収容体を備えるカートリッジを提供することである。
【課題を解決するための手段】
【０００６】
本発明の第一の態様に係る液体収容体は、可撓性を有し、液体を収容可能な液体収容部と、前記液体収容部に接続する中空の口栓と、前記口栓に接続し、前記液体収容部の面に交わる方向に延びる第一突出部と、前記口栓を隔てて前記第一突出部とは反対側において前記口栓に接続し、且つ前記液体収容部の面に交わる方向に前記第一突出部と対向して延び、前記第一突出部よりも、前記口栓の軸線を含む面からの長さが短い第二突出部とを備える。故に作業者は口栓を中心にして、長さの異なる第一突出部と第二突出部との位置関係を確認することで、液体の種類を判別できる。
【０００７】
前記液体収容体において、前記第二突出部は、突出端部で前記第一突出部から離間する方向に屈曲して前記液体収容部側に延びてもよい。該場合、作業者は第二突出部に着目し易いので、二種類の液体を容易に判別できる。
【０００８】
前記液体収容体は、前記口栓の外側の面に設け、前記第一突出部と第二突出部が並ぶ方向に延びる平面部を更に備え、前記平面部を隔てて前記第一突出部と前記第二突出部が並んでもよい。該場合、作業者は平面部を基準として第一突出部と第二突出部と長さの差を確認し易いので、液体の種類を容易に判別できる。
【０００９】
前記液体収容体は、前記口栓とは別体であり且つ前記口栓に取付け可能な取付部を更に備え、前記取付部は前記第一突出部と前記第二突出部を備えてもよい。該場合、作業者は取付部を種々の口栓に容易に取付けできる。
【００１０】
前記液体収容体は、前記取付部に設け、第一姿勢と第二姿勢において前記口栓に係合する係合部を更に備え、前記第一姿勢は、前記第一突出部が前記口栓に対して、前記口栓の軸線に直交し且つ前記液体収容部の面に平行な第一方向側に位置し、且つ前記第二突出部が前記口栓に対して前記第一方向の反対方向である第二方向側に位置する姿勢であり、前記第二姿勢は、前記第一突出部が前記口栓に対して前記第二方向側に位置し、且つ前記第二突出部が前記口栓に対して前記第一方向側に位置する姿勢であってもよい。該場合、作業者は口栓に係合する一種類の取付部の姿勢を切替えることで、口栓に対する第一突出部と第二突出部の位置関係を切替えできる。
【００１１】
本発明の第二の態様に係るカートリッジは、液体収容体と、前記液体収容体を支持するケースを備えるカートリッジにおいて、前記液体収容体は、可撓性を有し、液体を収容可能な液体収容部と、前記液体収容部に接続する中空の口栓と、前記口栓に接続し、前記液体収容部の面に交わる方向に延びる第一突出部と、前記口栓を隔てて前記第一突出部とは反対側において前記口栓に接続し、且つ前記液体収容部の面に交わる方向に前記第一突出部と対向して延び、前記第一突出部よりも、前記口栓の軸線を含む面からの長さが短い第二突出部とを備え、前記ケースは、前記液体収容体を支持可能であり、且つ前記口栓の軸線方向に延びる支持壁部と、前記支持壁部における前記軸線方向の一端側に設け、且つ前記第一突出部が突出可能な開口部である第一開口部とを備える。故に作業者は、ケースにおける第一突出部の位置を確認することで、液体収容部に収容した液体の種類を判別できる。
【００１２】
前記カートリッジにおいて、前記ケースは、前記支持壁部における前記液体収容体側の内面の反対側の外面に設けた、溝部を更に備え、前記溝部は、前記支持壁部から前記液体収容体に向かう方向に凹み、且つ前記軸線方向に延び、前記第一開口部は、前記溝部の一端側に設けたことを特徴とする。該場合、第一突出部が破損し難いので、作業者が液体の種類を判別できる。
【００１３】
前記カートリッジにおいて、前記溝部は、二つの前記溝部である第一溝部と第二溝部であり、前記第二突出部は、突出端部で前記第一突出部から離間する方向に屈曲して前記液体収容部側に延び、前記第一開口部は、前記第一溝部に設け、前記ケースは、前記第二溝部における前記内面に設け、前記第一開口部の開口面に交差する方向に開口する第二開口部を形成する壁部である開口壁部を更に備え、前記第二突出部は前記第二開口部に係合可能であってもよい。該場合、液体収容体がケースから外れ難いので、第一突出部は確実に第一開口部から突出する。故に作業者は液体の種類を判別できる。
【００１４】
前記カートリッジにおいて、前記液体収容体は、前記第一突出部に設け、前記支持壁部における前記外面に係合可能な爪部である第一係合爪と、前記第二突出部に設け、前記第二開口部の内側に係合可能な爪部である第二係合爪とを更に備えてもよい。該場合、第一係合爪と第二係合爪が設けられていない場合に比べて、液体収容体がケースから外れ難いので、第一突出部はより確実に第一開口部から突出する。故に作業者は液体の種類を判別できる。
【００１５】
前記カートリッジにおいて、前記口栓は、前記第一突出部と前記第二突出部とが並ぶ方向において、前記第一係合爪と前記第二係合爪の間の中心位置を含む領域に設けてもよい。該場合、口栓が斜めに傾き難いので、液体収容体はケースから外れ難い。第一突出部が確実に第一開口部から突出するので、作業者は液体の種類を判別できる。
【００１６】
前記カートリッジにおいて、前記液体収容体は、前記第一突出部と前記第二突出部を設け、前記口栓とは別体であり且つ前記口栓に取付け可能な取付部と、前記取付部に設け、第一姿勢と第二姿勢において前記口栓に係合する係合部とを更に備え、前記第一姿勢は、前記第一突出部が前記口栓に対して、前記口栓の軸線に直交し且つ前記液体収容部の面に平行な第一方向側に位置し、且つ前記第二突出部が前記口栓に対して前記第一方向の反対方向である第二方向側に位置する姿勢であり、前記第二姿勢は、前記第一突出部が前記口栓に対して前記第二方向側に位置し、且つ前記第二突出部が前記口栓に対して前記第一方向側に位置する姿勢であり、前記第一開口部は、前記第一溝部と前記第二溝部の両方に設け、前記第一溝部に設けた前記第一開口部は、前記第一姿勢にある前記取付部の前記第一突出部が突出可能な位置に設け、前記第二溝部に設けた前記第一開口部は、前記第二姿勢にある前記取付部の前記第一突出部が突出可能な位置に設け、前記開口壁部は、前記第一溝部と前記第二溝部の両方の前記内面に設け、前記第一溝部の前記内面に設けた前記開口壁部は、前記第二姿勢にある前記取付部の前記第二突出部が係合する位置に設け、前記第二溝部の前記内面に設けた前記開口壁部は、前記第一姿勢にある前記取付部の前記第二突出部が係合する位置に設けてもよい。該場合、作業者は口栓に係合する一種類の取付部の姿勢を切替えることで、口栓に対する第一突出部と第二突出部の位置関係を切替えできる。取付部は第一姿勢と第二姿勢の両方で、ケースに装着可能である。作業者は第一開口部から突出する第一突出部を確認することで、液体の種類を判別できる。
【図面の簡単な説明】
【００１７】
【図１】プリンタ１の斜視図。
【図２】カートリッジ３を装着したカートリッジ装着部８の斜視図。
【図３】カートリッジ装着部８の枠部３８の斜視図。
【図４】カートリッジ３の斜視図。
【図５】第二ケース４０を取り除いたカートリッジ３の斜視図。
【図６】液体を収容した液体収容体３１の左側面図。
【図７】取付部８０が第一姿勢にある口栓ユニット７の斜視図。
【図８】取付部８０が第一姿勢にある口栓ユニット７の正面図。
【図９】取付部８０が第一姿勢にある口栓ユニット７の分解斜視図。
【図１０】取付部８０が第一姿勢にある口栓ユニット７を含むカートリッジ３の縦断面図。
【図１１】ホルダ９０の斜視図。
【図１２】取付部８０が第二姿勢にある口栓ユニット７の正面図。
【図１３】取付部８０が第二姿勢にある口栓ユニット７を含むカートリッジ３の縦断面図。
【図１４】第一ケース３３の斜視図。
【図１５】第一ケース３３の要部拡大図。
【図１６】カートリッジ装着部８に装着したカートリッジ３の口栓７０近傍を示す図。
【図１７】変形例に係る、取付部８０１が第一姿勢にある口栓ユニット７０１の正面図。
【図１８】変形例に係る、取付部８０１が第二姿勢にある口栓ユニット７０１の正面図。
【発明を実施するための形態】
【００１８】
本発明の一実施形態を図面を参照し説明する。図１〜図３を参照しプリンタ１の概略構成を説明する。以下の説明は図１の上、下、右下、左上、右上、左下をプリンタ１の上、下、右、左、後、前として説明する。
【００１９】
図１に示す如く、プリンタ１は印刷媒体であるＴシャツ等の布帛（図示略）に対して、液体であるインクを噴出するインクジェットプリンタである。印刷媒体は紙等でもよい。本実施形態のプリンタ１は互いに異なる５種のインクを下方へ向けて噴出することで、印刷媒体にカラー画像を印刷する。５種のインクは白色、黒色、黄色、シアン、マゼンタである。
【００２０】
プリンタ１は筐体２、プラテン駆動機構６、プラテン５、トレイ４、枠体１０、ガイドシャフト９、レール１１、キャリッジ２０、支持部（図示略）、ヘッドユニット１００，２００、駆動ベルト１０１、駆動モータ１９を主に備える。筐体２は左右方向が長い略直方体状である。プリンタ１の操作を行う操作部（図示略）は筐体２の右前側に設ける。操作部はディスプレイと操作ボタンを備える。ディスプレイは各種情報を表示する。ユーザはプリンタ１の各種動作に関する指示を入力する際、操作ボタンを操作する。プラテン駆動機構６は前後方向に延びる一対のガイドレール（図示略）を内部に備える。一対のガイドレールはプラテン５とトレイ４を前後方向に搬送可能に支持する。プラテン駆動機構６は後端に設けたモータ（図示略）を駆動源として、プラテン５とトレイ４を一対のガイドレールに沿って筐体２の前後方向に移動する。プラテン５は筐体２の前後方向が長い平面視略長方形状の板状である。プラテン５は枠体１０の下方に設ける。例えばＴシャツ等の布帛である印刷媒体はプラテン５の上面に載置する。トレイ４は平面視矩形状であり、プラテン５の下方に設ける。トレイ４はプラテン５に載置するＴシャツのそで等を受けるので、袖等が筐体２内部に落ちない。枠体１０は平面視略長方形状の枠状である。枠体１０は筐体２の上部に設置する。枠体１０はガイドシャフト９とレール１１を支持する。ガイドシャフト９は左右方向に延びる軸部材である。レール１１はガイドシャフト９の後方に配置し、左右方向に延びる棒状部材である。ガイドシャフト９とレール１１は互いに前後方向に離れる。ガイドシャフト９はキャリッジ２０を左右方向に搬送可能に支持する。キャリッジ２０はヘッドユニット１００，２００を搭載する。ヘッド部（図示略）はヘッドユニット１００，２００夫々の底面に設ける。各ヘッド部は圧電素子の駆動に伴い、複数個の微細なノズル（図示略）から下向きにインク液滴を噴出する。
【００２１】
駆動ベルト１０１は枠体１０に左右方向に沿って架け渡す。駆動ベルト１０１は可撓性の樹脂製である。駆動モータ１９は枠体１０の前方右側に設ける。駆動モータ１９は前後方向においてガイドシャフト９とレール１１との間に設ける。駆動モータ１９は正逆回転可能であり、駆動ベルト１０１を介してキャリッジ２０と連結する。駆動モータ１９が駆動ベルト１０１を駆動すると、キャリッジ２０は左右方向に往復移動する。故にヘッドユニット１００，２００夫々のヘッド部は左右方向に往復移動する。プラテン５が印刷媒体を前後方向に搬送しながら、左右方向に往復移動するヘッド部が印刷媒体にインクを噴出する。
【００２２】
図２に示すカートリッジ装着部８はプリンタ１の右側に設ける。筐体２はカートリッジ装着部８を支持する。カートリッジ装着部８に装着したカートリッジ３はヘッドユニット１００，２００の夫々のヘッド部にインクを供給する。カートリッジ装着部８は複数のカートリッジ３を装着可能であり、本実施形態では６つのカートリッジ３を装着する。
【００２３】
図３に示す如く、枠部３８はカートリッジ装着部８の前部に設ける。開口部１２０Ａ〜１２０Ｆは枠部３８に設ける。開口部１２０Ａ〜１２０Ｆはカートリッジ３を出し入れする。開口部１２０Ａ〜１２０Ｆは上下に３段並び、左右に２列並ぶ。突起部１２１は上側４つの開口部１２０Ａ〜１２０Ｄの下部に夫々設ける。突起部１２２は下側二つの開口部１２０Ｅ，１２０Ｆの下部に夫々設ける。各突起部１２１，１２２は上方に突起する。
【００２４】
開口部１２０Ａ，１２０Ｂと、開口部１２０Ｃ，１２０Ｄと、開口部１２０Ｅ，１２０Ｆは夫々左右に並ぶ。開口部１２０Ａ，１２０Ｃの各突起部１２１は開口部１２０Ｅの突起部１２２よりも右側にある。開口部１２０Ｂ，１２０Ｄの各突起部１２１は開口部１２０Ｆの突起部１２２よりも右側にある。
【００２５】
図４に示す如く、カートリッジ３が開口部１２０Ａ〜１２０Ｄの何れかを介してカートリッジ装着部８に装着する時、突起部１２１はカートリッジ３の溝部３６１(後述する)を通る。カートリッジ３が開口部１２０Ｅ，１２０Ｆの何れかを介してカートリッジ装着部８に装着する時、突起部１２２はカートリッジ３の溝部３６２（後述する）を通る。カートリッジ３をカートリッジ装着部８に装着すると、図１６の中空針１０６はゴム栓（図示略）に刺さる。ゴム栓は液体収容体３１の図７の口栓７０にある。中空針１０６は液体収容体３１から液体を導出する針である。
【００２６】
図４〜図１６を参照し、カートリッジ３を説明する。以下の説明は図４の上、下、右下、左上、右上、左下を、カートリッジ３の上、下、前、後、右、左として説明する。図４、図５に示す如く、カートリッジ３は液体収容体３１とケース３２を備える。ケース３２は液体収容体３１を内部に収容する。
【００２７】
図５に示す如く、液体収容体３１は液体収容袋１３と口栓ユニット７を備える。図６に示す如く、液体収容袋１３は２枚のシート１３Ａ，１３Ｂで形成した袋状の容器である。２枚のシート１３Ａ，１３Ｂは可撓性を有する樹脂製で、長方形状である。２枚のシート１３Ａ，１３Ｂは面同士を対向させて、周縁部分を熱熔着する。
【００２８】
液体収容袋１３は内部に種々の液体を収容可能である。本実施形態の液体はインクである。図６に示す如く、液体収容袋１３に収容したインク量が多い時、シート１３Ａ，１３Ｂは互いに離れる方向に湾曲する。液体収容袋１３に収容したインク量が少ない時、シート１３Ａ，１３Ｂは互いの距離が狭まり、互いに接触する方向に撓む。図６以外の液体収容袋１３はインクを収容していない状態を示すが、実際はインクを収容する。図１６は液体収容袋１３の図示を省略する。
【００２９】
口栓ユニット７の概略構成を説明する。図６、図７に示す如く、口栓ユニット７は口栓７０を備える。口栓７０は液体収容袋１３に接続し、軸線Ｘ方向である前後方向に延びる。軸線Ｘ方向は液体収容袋１３の前後方向と略平行である。図７、図８に示す如く、口栓７０は第一突出部８３と第二突出部８５に接続する。第一突出部８３は口栓７０の右方に設ける。第二突出部８５は口栓７０を隔てて第一突出部８３とは反対側の左側に設ける。第一突出部８３と第二突出部８５は左右方向に並び、液体収容袋１３のシート１３Ａ，１３Ｂの面に交わる方向に延びる。又、第一突出部８３と第二突出部８５は軸線Ｘ方向に直交する下方向に延びる。
【００３０】
以下の説明においては第一突出部８３と第二突出部８５が互いに対向して延びる下方向を突出方向と称する場合がある。Ｘ軸を通り左右方向を含む平面からの第二突出部８５の突出方向の長さは第一突出部８３の突出方向の長さよりも短い。第一突出部８３はケース３２に設けた第一開口部３７２に係合する。第二突出部８５はケース３２に設けた第二開口部３９１に係合する。故に液体収容体３１はケース３２に装着する（図１０参照）。
【００３１】
図７〜図１１を参照し口栓ユニット７の構成を説明する。図７〜図９に示す如く、口栓ユニット７は口栓７０、取付部８０、ホルダ９０、電気基板９８、図９のネジ９９を備える。図９に示す如く、口栓７０は本体部７１１を備える。本体部７１１は軸線Ｘ方向に延びる円筒状である。本体部７１１は中空部７１２を備える。中空部７１２は軸線Ｘ方向に本体部７１１を貫通する。中空部７１２は液体収容袋１３の内部と外部とを連通する。ゴム栓（図示略）は中空部７１２の軸線Ｘ方向の一部に配置するので、液体収容袋１３内のインクは漏れない。
【００３２】
本体部７１１の前端部は先端部７１３である。先端部７１３は軸線Ｘ方向に延びる円筒状である。支持部７２と第一載置部７４は先端部７１３の後方に設ける。支持部７２は取付部８０を支持する。支持部７２は平面部７２１、支持腕７３、凸部７２８、円筒部７２４を備える。平面部７２１は本体部７１１の上面に設ける。円筒部７２４は本体部７１１の右方に設け、上下方向に延びる。先端部７２６は円筒部７２４の上端部に設ける。先端部７２６は円筒部７２４と同軸の円筒部である。先端部７２６の径は円筒部７２４の径よりも小さい。円筒部７２４と先端部７２６はネジ溝７２５を備える。ネジ溝７２５は先端部７２６の上面から円筒部７２４内部を下方に向かう。凸部７２８は平面部７２１の左方に設ける。凸部７２８は上方に突出し、上端が丸みを有した円柱状である。
【００３３】
支持腕７３は前後方向に互いに対向する第一腕部７３１と第二腕部７３２を備える。第一腕部７３１と第二腕部７３２は本体部７１１から左方に突出し、左端が上方に延びる。壁部７３３は第一腕部７３１の左上端に設ける。壁部７３３は後側に延びる。壁部７３４は第二腕部７３２の左上端に設ける。壁部７３４は前側に延びる。
【００３４】
図９、図１０に示す如く、第一載置部７４は口栓７０の外方面に設ける。壁部７４１は先端部７１３の後方下部から平面視矩形状に下方に突出する。壁部７４１上端は第一載置部７４の周辺に接続する。第一載置部７４は壁部７４１の下端にある平面部であり、第一突出部８３と第二突出部８５が並ぶ左右方向に延びる。第一載置部７４を隔てて第一突出部８３と第二突出部８５が並ぶ。
【００３５】
図９に示す如く、口栓７０は第二載置部７５と接続部７６を備える。第二載置部７５は本体部７１１の周囲から径方向外側に突出する。図１５の第二支持部３４７は第二載置部７５の下端を支持する。接続部７６は第二載置部７５の後側に設ける。接続部７６は周囲に径方向に突出する凸部７６１を複数備える。図６に示す如く、接続部７６を隔てたシート１３Ａ，１３Ｂが接続部７６に熱熔着するので、本体部７１１は液体収容袋１３に固定する。
【００３６】
取付部８０を説明する。図９に示す如く、取付部８０は口栓７０と別体であり、口栓７０に取付け可能である。取付部８０は土台部８１、第一突出部８３、第二突出部８５、壁部８７を備える。取付部８０は第一姿勢（図７〜図１０参照）と、第二姿勢（図１２、図１３参照）を切替え可能である。図７〜図１０に示す取付部８０の第一姿勢は、第一突出部８３が口栓７０に対して右側に位置し、第二突出部８５が口栓７０に対して左側に位置する姿勢である。図１２、図１３に示す取付部８０の第二姿勢は、第一突出部８３が口栓７０に対して左側に位置し、第二突出部８５が口栓７０に対して右側に位置する姿勢である。即ち、図７〜図１０に示す第一姿勢は、第一突出部８３が口栓７０に対して、口栓７０の軸線Ｘに直交、且つ液体を収容していない液体収容袋１３のシート１３Ａ，１３Ｂの面に平行な第一方向側である右側に位置し、且つ、第二突出部８５が口栓７０に対して第一方向の反対方向である第二方向側に位置する姿勢である。以下の説明では、第一姿勢の取付部８０を説明する。
【００３７】
土台部８１は左右方向に延びる平面視矩形状であり、上面が若干下方に凹んだ板状である。一対の凸部８１８は土台部８１の前後に設ける。一対の凸部８１８は夫々、左右方向に亘って上方に突出する。一対の凸部８１８はホルダ９０を位置決めする。
【００３８】
壁部８７は土台部８１の上面中央を平面視矩形状に取り囲み、上方に延びる。壁部８７のうち左右一対の壁部は延伸壁部８７１，８７２である。係合開口部８７３は延伸壁部８７１の下端部に設ける。係合開口部８７４は延伸壁部８７２の下端部に設ける。係合開口部８７３，８７４は夫々、側面視矩形状の開口である。一対のホルダ爪９１５は係合開口部８７３，８７４に係合する。
【００３９】
矩形状の矩形孔部８１１，８１２は土台部８１に設ける。矩形孔部８１１，８１２は係合開口部８７３，８７４に夫々連接し、土台部８１を上下方向に貫通する。係合孔部８１３は土台部８１の左に設ける。係合孔部８１４は土台部８１の右に設ける。係合孔部８１３，８１４は夫々、土台部８１を上下方向に貫通する平面視円形の孔である。連通部８１５は矩形孔部８１１と係合孔部８１３の間に設ける。連通部８１５は土台部８１を上下方向に貫通し、矩形孔部８１１と係合孔部８１３を左右方向に連通する。図１０の連通部８１６は土台部８１を上下方向に貫通し、矩形孔部８１２と係合孔部８１４を左右方向に連通する。
【００４０】
第一突出部８３は土台部８１の右端部に接続する。第一突出部８３は凹部８３７を備える。凹部８３７は右面が上下方向に亘って左方に凹む。図８、図９に示す如く、第一突出部８３は延伸部８３１，８３２，８３３と二つの第一係合爪８３４を備える。延伸部８３１は土台部８１の右端部から下方に延びる。延伸部８３１の下端の上下方向位置は、取付部８０を口栓７０に取付けた時、本体部７１１の前面視中央と略同じ位置である（図８、図１０参照）。
【００４１】
図１０に示す如く、延伸部８３２は延伸部８３１の下端から右斜め下方に延びる。延伸部８３２の下端の上下方向位置は、取付部８０を口栓７０に取付けた時、壁部７４１の上下方向中央と略同じ位置である。延伸部８３３は延伸部８３２の下端から下方に延びる。延伸部８３３の下端の上下方向位置は、取付部８０を口栓７０に取付けた時、第一載置部７４よりも下方である。
【００４２】
二つの第一係合爪８３４は延伸部８３３の下端の前端と後端の夫々から右方に突起する（図８〜図１０参照）。第一係合爪８３４は支持壁部３４の外面３４５の溝部３６２に係合する。
【００４３】
図８、図９に示す如く、第二突出部８５は土台部８１の左端部に接続する。第二突出部８５は口栓７０に向かう右方向に弾性変形する板状部材である。第二突出部８５は突出方向である下方向に延び、突出方向の端部で屈曲して反対側である上側に延びる。第二突出部８５は延伸部８５１，８５２，８５３、突出部８５４、湾曲部８５５、二つの第二係合爪８５６を備える。延伸部８５１は土台部８１の左端部から下方に延びる。湾曲部８５５は延伸部８５１の下端から弧状に左方に湾曲する。湾曲部８５５の下端は第二突出部８５の下端の突出端部である。即ち、第二突出部８５は突出端部で第一突出部８３から離間する方向の左側に屈曲して液体収容袋１３のシート１３Ａ，１３Ｂの面側に延びる。第二突出部８５下端の上下方向位置は第一突出部８３の延伸部８３３上端位置と略同じである（図８、図１０参照）。第二突出部８５の突出方向長さは第一突出部８３の突出方向長さよりも短い。図８に示す如く、長さＬ２は長さＬ１よりも短い。長さＬ２は口栓７０の先端部７１３の正面視中央から第二突出部８５の下端までの上下方向長さである。長さＬ１は口栓７０の先端部７１３の正面視中央から第一突出部８３の下端までの上下方向長さである。
【００４４】
延伸部８５２は湾曲部８５５の左端から左斜め上方に延びる。延伸部８５２の上端の上下方向位置は本体部７１１の前面視中央よりも若干上側である。延伸部８５３は延伸部８５２上端から上方に延びる。延伸部８５３上端は土台部８１の上下方向中央よりも若干上側である。突出部８５４は延伸部８５３の上端から左方に突出する。
【００４５】
図１０に示す如く、二つの第二係合爪８５６は延伸部８５２の上端の前後端部の夫々から左方に突出する。二つの第二係合爪８５６は夫々第二開口部３９１の内側に係合する（図１０参照）。図８に示す如く、口栓７０と第一載置部７４は左右方向において第一係合爪８３４と第二係合爪８５６の間の中心位置を含む領域に設ける。即ち、口栓７０と第一載置部７４は第一係合爪８３４と第二係合爪８５６の間の中心を通る上下方向の仮想線上に設ける。尚、第一突出部８３と第二突出部８５が並ぶ方向において、第一係合爪８３４は第一係合爪８３４と第二係合爪８５６の間の中心位置からの距離がＬ３である。第二係合爪８５６は該中心位置からの距離がＬ３である。その為、口栓７０が斜めに傾き難く、液体収容袋１３はケース３２から外れ難い。
【００４６】
図９に示す如く、ネジ９９は頭部９９１と軸部９９２を備える。電気基板９８は平面視略矩形状の板状である。電子部品９８１は電気基板９８の底面に実装する（図１０参照）。電子部品９８１は例えばメモリ等（図示略）を含む。メモリは液体収容体３１に収容するインク種類等を記憶する。複数の電極（図示略）は電気基板９８上面に設ける。
【００４７】
ホルダ９０を説明する。図７に示す如く、ホルダ９０は電気基板９８を保持する。ホルダ９０は取付部８０の上側に装着する。図９、図１１に示す如く、ホルダ９０は上壁部９１、周壁部９２、ホルダ係合部９１２，９１３、延伸部９３、突起部９４を備える。上壁部９１は左右方向に長い平面視矩形状であり、ホルダ９０の上面である。ホルダ開口部９１１は上壁部９１の左右方向中央部に設ける。ホルダ開口部９１１は上壁部９１を上下方向に貫通する開口である。ホルダ開口部９１１は電気基板９８上面を露出する（図７参照）。
【００４８】
周壁部９２は上壁部９１の周囲から下方に延びる壁部である。図１１に示す如く、ホルダ係合部９１２，９１３は夫々ホルダ開口部９１１の左右端部から、下方に延びる係合部である。ホルダ爪９１４はホルダ係合部９１２の先端に設ける。ホルダ爪９１４は右側に突出する。ホルダ爪９１５はホルダ係合部９１３の先端に設ける。ホルダ爪９１５は左側に突出する。
【００４９】
延伸部９３は上壁部９１の後端から、後方に延びる板状部である。貫通孔９３１は延伸部９３の平面視中央部に設ける。貫通孔９３１は矩形状に延伸部９３を貫通する。貫通孔９３１を設けた延伸部９３は貫通孔９３１がない場合に比べて湾曲し易い。突起部９４は延伸部９３の後端から、上側に突出する。
【００５０】
口栓ユニット７の組立て態様を説明する。本実施形態では液体収容袋１３がカラーインクを収容する場合、作業者は取付部８０を第一姿勢に設定する。液体収容袋１３が白インクを収容する場合、作業者は取付部８０を第二姿勢に設定する。口栓ユニット７の組立ては例えば液体収容体３１の生産工場で行う。
【００５１】
図９、図１０を参照し、取付部８０を第一姿勢に設定する場合の組立て態様を説明する。作業者は取付部８０を口栓７０の支持部７２に配置する。口栓７０の平面部７２１は土台部８１の底面を支持する。第二突出部８５の延伸部８５１の上端は第一腕部７３１と第二腕部７３２の間で壁部７３３と壁部７３４の下側に配置する。凸部７２８は連通部８１５に挿通する。先端部７２６は土台部８１の係合孔部８１４に挿通する。作業者はネジ９９を土台部８１の上側からネジ溝７２５に締結する。円筒部７２４とネジ９９の頭部９９１の間に土台部８１を挟むので、土台部８１は支持部７２に固定する。
【００５２】
作業者は電気基板９８をホルダ９０のホルダ開口部９１１下側に配置する。電気基板９８はホルダ係合部９１２とホルダ係合部９１３の間で保持する（図１１参照）。作業者は電気基板９８を保持したホルダ９０を土台部８１の上側に配置する。図１０に示す如く、ホルダ係合部９１２は取付部８０の延伸壁部８７１の左側に配置する。ホルダ爪９１４は係合開口部８７３に係合する。ホルダ係合部９１３は取付部８０の延伸壁部８７２の右側に配置する。ホルダ爪９１５は係合開口部８７４に係合する。上壁部９１の底面と壁部８７（図９参照）の上端は電気基板９８を挟持する。
【００５３】
取付部８０を第二姿勢に設定する場合の組立て態様を説明する。図９、図１２、図１３に示す如く、取付部８０を第二姿勢に設定する場合、作業者は取付部８０を左右方向に反転して口栓７０に取付ける。作業者は取付部８０を口栓７０の支持部７２に配置する。口栓７０の平面部７２１は土台部８１の底面を支持する。第一突出部８３の延伸部８３１の上端は第一腕部７３１と第二腕部７３２の間、壁部７３３と壁部７３４の下側に配置する。凸部７２８は連通部８１６に挿通する。先端部７２６は土台部８１の係合孔部８１３に挿通する。作業者はネジ９９を土台部８１の上側からネジ溝７２５と締結する。土台部８１は、円筒部７２４とネジ９９の頭部９９１が土台部８１を挟むことで、支持部７２に固定する。以上の如く、取付部８０は口栓７０の支持部７２に配置する。
【００５４】
第一姿勢の場合と同様に、作業者は電気基板９８を保持したホルダ９０を、土台部８１の上側に配置する。図１３に示す如く、ホルダ係合部９１２は取付部８０の延伸壁部８７２の左側に配置する。ホルダ爪９１４は係合開口部８７４に係合する。ホルダ係合部９１３は取付部８０の延伸壁部８７１の右側に配置する。ホルダ爪９１５は係合開口部８７３に係合する。
【００５５】
ケース３２を説明する。図４、図５に示す如く、ケース３２は第一ケース３３と第二ケース４０を含む。第一ケース３３は液体収容体３１を支持する。第二ケース４０は第一ケース３３の上側に配置し、第一ケース３３に対して着脱可能である。
【００５６】
第一ケース３３を説明する。図１４に示す如く、第一ケース３３は、支持壁部３４、左壁部３３２、右壁部３３３、後壁部３３４を備える。支持壁部３４は液体収容体３１を支持する平面視矩形状の壁部であり、軸線Ｘ方向である前後方向に延びる。左壁部３３２、右壁部３３３、後壁部３３４は夫々支持壁部３４の左端部、右端部、後端部から上方に延びる。第一ケース３３の前端部は壁部を設けずに開口する。
【００５７】
凹部３４１は支持壁部３４の前端部の左右方向中央に設ける。凹部３４１は平面視矩形状に後方に向かって凹む。内面３４４は支持壁部３４の液体収容体３１を配置する側の面である。外面３４５は支持壁部３４の内面３４４とは反対側の面である。溝部３６１，３６２は外面３４５に設ける。溝部３６１，３６２は夫々支持壁部３４から液体収容体３１に向かう上方向に凹み、軸線Ｘ方向に延びる。溝部３６１は凹部３４１の左側に設け且つ支持壁部３４の前後方向に延びる。溝部３６２は凹部３４１の右側に設け且つ支持壁部３４の前後方向に延びる。溝部３６１，３６２の上側の部位は外面３４５に溝部３６１，３６２を設けたので、内面３４４で上方に突出する。
【００５８】
図１０、図１５に示す如く、第一開口部３７１，３７２は夫々溝部３６１，３６２の軸線Ｘ方向の一端側である前部に設ける。第一開口部３７１，３７２は支持壁部３４を上下方向に貫通する平面視矩形状の開口部である。第一開口部３７２は第一姿勢にある取付部８０の第一突出部８３と第二突出部８５のうち第一突出部８３寄りで、第一突出部８３に対応する位置に設ける（図１０参照）。第一開口部３７１は、第二姿勢にある取付部８０の第一突出部８３が第一開口部３７１から突出可能な位置に設ける（図１３参照）。第一突出部８３は液体収容体３１が第一ケース３３に装着した場合、第一開口部３７１又は第一開口部３７２から突出する（図１０、図１３参照）。
【００５９】
図１５に示す如く、開口壁部３８１，３８２は夫々対向する側を開放して溝部３６１，３６２の上方に箱状に形成する。第二開口部３９１は開口壁部３８１の右面側に設ける（図１０、図１５参照）。第一開口部３７１と第二開口部３９１は開口壁部３８１内で連通する。第二開口部３９２は開口壁部３８２の左面側に設ける。第一開口部３７２と第二開口部３９２は開口壁部３８２内で連通する。第一開口部３７１，３７２は夫々開口壁部３８１，３８２の内側にある（図１０、図１５参照）。第二開口部３９１は第一開口部３７１の開口面と平行な内面３４４に交差する方向に開口する。第二開口部３９２は第一開口部３７２の開口面と平行な内面３４４に交差する方向に開口する。第二開口部３９１，３９２の開口面は何れも、左壁部３３２、右壁部３３３に平行である。開口壁部３８１は第一姿勢にある取付部８０の第二突出部８５が係合する位置に設ける（図１０参照）。開口壁部３８２は第二姿勢にある取付部８０の第二突出部８５が係合する位置に設ける（図１３参照）。
【００６０】
第一支持部３４６は支持壁部３４における凹部３４１の後側、左右方向における溝部３６１と溝部３６２との間に設ける。第一支持部３４６は口栓ユニット７の第一載置部７４を支持する平面である（図１０、図１３参照）。第二支持部３４７は第一支持部３４６の後側に設ける。第二支持部３４７は口栓７０の第二載置部７５を支持する。第二支持部３４７は支持壁部３４から上方に延びる左右方向に長い壁部であり、上端が正面視Ｕ字状に下方に凹む。凹部３４８は第二支持部３４７の前後方向中央部に設ける。凹部３４８は半円状に下方に凹む。口栓７０の第二載置部７５の下端は凹部３４８に配置するので、第二支持部３４７は口栓７０を支持する（図１６参照）。
【００６１】
第二ケース４０を説明する。図４に示す如く、第二ケース４０は上壁部４０１、左壁部４０２、右壁部４０３を備える。上壁部４０１は支持壁部３４に上下方向に対向し、軸線Ｘ方向である前後方向に延びる。左壁部４０２と右壁部４０３は夫々上壁部４０１の左右端部から下方に延びる。第二ケース４０の前後端部は夫々壁部を設けずに開口する。第二ケース４０が第一ケース３３に装着した場合、左壁部４０２と右壁部４０３は夫々左壁部３３２の外側と右壁部３３３の外側に位置する。
【００６２】
作業者がケース３２に液体収容体３１を装着し、その液体収容体３１をカートリッジ装着部８に装着する態様を説明する。例えば作業者はカートリッジ３を生産する工場、プリンタ１を使用する工場、家庭において、液体収容体３１をケース３２に装着し、プリンタ１を使用する工場、家庭において、カートリッジ３内の使用済みの液体収容体３１を取外し、新たな液体収容体３１をケース３２に装着する。
【００６３】
取付部８０が第一姿勢である状態で、液体収容体３１をケース３２に装着する場合を説明する。作業者は液体収容体３１の口栓ユニット７を把持する。作業者は指で第二突出部８５の突出部８５４の左面を右側に押す。第二突出部８５は口栓７０側に弾性変形する。作業者は第一ケース３３の上方から、液体収容体３１を第一ケース３３に配置する。図１０に示す如く、第一突出部８３は第一開口部３７２から下方に突出する。第一突出部８３の下端部は溝部３６２内に進入する。第一突出部８３の第一係合爪８３４は溝部３６２の外面３４５側に係合する。第二突出部８５の第二係合爪８５６は第二開口部３９１に係合する。第二突出部８５は弾性変形した状態で第二開口部３９１に係合する。故に液体収容体３１は第一ケース３３に配置した状態になる。
【００６４】
第一支持部３４６と第二支持部３４７は夫々第一載置部７４と第二載置部７５を支持する。故に作業者は口栓ユニット７を下方に押し付けながら、第一突出部８３と第二突出部８５を第一ケース３３に係合できる。第一載置部７４と第二載置部７５の少なくとも一つに対する支持がない場合に比べ、作業者は容易に液体収容体３１を第一ケース３３に配置できる。
【００６５】
取付部８０が第二姿勢（図１２参照）である場合、第一突出部８３と第二突出部８５の位置関係は図１０に示す状態と比べて左右反転する。図１３に示す如く、第一突出部８３は第一開口部３７１から下方に突出する。第一突出部８３の下端部は溝部３６１内に進入する。第一突出部８３の第一係合爪８３４は溝部３６１の外面３４５側に係合する。第二突出部８５の第二係合爪８５６は第二開口部３９２の上壁下面に係合する。第二突出部８５は弾性変形した状態で第二開口部３９２に係合する。故に作業者は取付部８０が第一姿勢と第二姿勢のどちらであっても、一種類の第一ケース３３に対して液体収容体３１を装着できる。
【００６６】
作業者は液体収容体３１を第一ケース３３に配置した後、第二ケース４０を第一ケース３３の上側に配置するので、カートリッジ３は完成する。作業者は完成したカートリッジ３をカートリッジ装着部８に装着する。作業者はカートリッジ３の前端をカートリッジ装着部８に向けて、開口部１２０Ａ〜１２０Ｆ（図３参照）の何れかにカートリッジ３を挿入する。
【００６７】
図１０に示す如く、液体収容袋１３内の液体がカラーインクである場合、取付部８０は第一姿勢である。第一突出部８３は第一ケース３３の第一開口部３７２から溝部３６２に突出する。第二突出部８５は溝部３６１に存在しない。
【００６８】
図３に示す如く、開口部１２０Ａ〜１２０Ｄはカラーインクを配置する領域である。故に作業者がカートリッジ３を開口部１２０Ａ〜１２０Ｄの何れかに挿入した場合、突起部１２１は溝部３６１内に進入する。突起部１２１が位置決めするカートリッジ３はカートリッジ装着部８にスムーズに挿入できる。図１０は溝部３６１内にある突起部１２１を点線で示す。開口部１２０Ｅ，１２０Ｆは白インクを配置する領域である。作業者がカラーインクのカートリッジ３を開口部１２０Ｅ，１２０Ｆの何れかに挿入した場合、突起部１２２は溝部３６２内にある第一突出部８３に当接する。故に作業者は、カラーインクのカートリッジ３を開口部１２０Ｅ，１２０Ｆに挿入できない。作業者がカラーインクのカートリッジ３を、カートリッジ装着部８に誤って装着することを制限できる。図１０は溝部３６２内にある第一突出部８３に当接する突起部１２２を点線で示す。
【００６９】
例えば作業者が誤って白インクの液体収容体３１の代わりに、カラーインクの液体収容体３１をケース３２に装着する場合がある。該場合、取付部８０は第一姿勢である。第一突出部８３は第一開口部３７２から突出する。作業者が開口部１２０Ｅ，１２０Ｆの何れかにカートリッジ３を挿入した場合、突起部１２２は溝部３６２内にある第一突出部８３に当接する。作業者はカートリッジ３を開口部１２０Ｅ，１２０Ｆに挿入できないので、誤った種類の液体収容体３１をケース３２に装着したことに気付く。故に作業者が誤った種類の液体収容体３１をケース３２に装着することを制限できる。
【００７０】
図１３に示す如く、液体収容袋１３内の液体が白インクである場合、取付部８０は第二姿勢である。第一突出部８３は第一ケース３３の第一開口部３７１から溝部３６１に突出する。第一突出部８３は溝部３６２に存在しない。故に作業者がカートリッジ３を開口部１２０Ｅ，１２０Ｆの何れかに挿入した場合突起部１２２は溝部３６２内に進入する。突起部１２２が位置決めするカートリッジ３は、カートリッジ装着部８にスムーズに挿入できる。図１３は溝部３６２内にある突起部１２２を点線で示す。
【００７１】
作業者が白インクのカートリッジ３を開口部１２０Ａ〜１２０Ｄの何れかに挿入した場合、突起部１２１が溝部３６１内にある第一突出部８３に当接する。故に作業者は、白インクのカートリッジ３を開口部１２０Ａ〜１２０Ｄに挿入できない。作業者が白インクのカートリッジ３を、カートリッジ装着部８に誤って装着することを制限できる。図１３は、溝部３６１内にある第一突出部８３に当接する突起部１２２を点線で示す。
【００７２】
例えば作業者が誤って、カラーインクの液体収容体３１の代わりに、白インクの液体収容体３１をケース３２に装着する場合がある。該場合、取付部８０は第二姿勢である。第一開口部３７１から第一突出部８３が突出する。作業者が開口部１２０Ａ〜１２０Ｄの何れかにカートリッジ３を挿入した場合、突起部１２１は溝部３６１内にある第一突出部８３に当接する。作業者はカートリッジ３を開口部１２０Ａ〜１２０Ｄに挿入できないので、誤った種類の液体収容体３１をケース３２に装着したことに気付く。故に作業者が誤った種類の液体収容体３１をケース３２に装着することを制限できる。
【００７３】
図１６に示す如く、カートリッジ３がカートリッジ装着部８に装着する時、カートリッジ装着部８の突起部９４と係合する係合部１０５はカートリッジ３の前端開口を経由してカートリッジ３の内部に挿入する。係合部１０５はホルダ９０の突起部９４に係合する。突起部９４に係合した係合部１０５はカートリッジ装着部８内でカートリッジ３が後方に移動することを制限する。突起部９４が係合部１０５に係合する過程において、延伸部９３は係合部１０５に対して下方に湾曲する。突起部９４はスムーズに係合部１０５と係合する。
【００７４】
カートリッジ装着部８に設けた電極（図示略）は、ホルダ開口部９１１から露出する図７の電気基板９８上面の電極（図示略）に当接する。プリンタ１のＣＰＵ（図示略）は、図１０の電子部品９８１と電気的に接続する。故にプリンタ１のＣＰＵは例えばインクの種類を特定できる。液体収容体３１から液体を導出する中空針１０６は液体収容体３１の中空部７１２内に配置したゴム栓（図示略）に刺さる。中空針１０６はインクが流通する孔を有する。液体収容袋１３内のインクは中空針１０６を通ってヘッド部（図示略）に供給する。
【００７５】
以上説明した如く、本実施形態の液体収容体３１とカートリッジ３は口栓７０を隔てて対向する第一突出部８３と第二突出部８５を設ける。第二突出部８５の長さは第一突出部８３よりも短い（図８、図１２参照）。故に作業者は口栓７０を中心にして、長さの異なる第一突出部８３と第二突出部８５の位置関係を確認するので、液体収容袋１３が収容する液体が二種類の液体の何れであるかを判別できる。
【００７６】
本実施形態では口栓７０から見て右側に第一突出部８３があり、口栓７０から見て左側に第二突出部８５がある場合、液体収容袋１３はカラーインクを収容する（図８参照）。口栓７０から見て右側に第二突出部８５があり、口栓７０から見て左側に第一突出部８３がある場合、液体収容袋１３は白インクを収容する（図１２参照）。故に作業者は口栓７０から見て左側の突出部が右側の突出部よりも短ければ、液体収容袋１３がカラーインクを収容することを判別できる。作業者は口栓７０から見て右側の突出部が左側の突出部よりも短ければ、液体収容袋１３が白インクを収容することを判別できる。第一突出部８３と第二突出部８５の長さの差を変えることで、作業者は複数種類の液体を判別することもできる。
【００７７】
作業者は液体収容体３１を第一ケース３３に装着する場合、口栓７０を把持して第一突出部８３と第二突出部８５を第一ケース３３に係合する。本実施形態では作業者は把持した口栓７０を確認するので、容易にインクの種類を判別できる。故に液体収容袋１３はインク種類を示すラベルが必要無い。仮に液体収容袋１３にインク種類を示すラベルがある場合も、作業者はラベルを確認しなくてもよい。作業者は液体収容体３１の口栓７０を把持し、インク種類を確認して第一ケース３３に装着する一連の作業を容易に実行できる。
【００７８】
第一突出部８３と第二突出部８５は液体であるインクの種類を判別可能な部位であり、第一ケース３３に係合する部位である。故に、インクの種類を判別可能な部位と第一ケース３３に係合する部位とを別々に設ける場合に比べ、液体収容体３１とカートリッジ３はコストを低くできる。
【００７９】
第二突出部８５は軸線Ｘ方向に交わる方向（本実施形態では下方向）の端部で屈曲して反対側の上側に延びる。仮に第二突出部８５が単に軸線Ｘ方向に交わる方向に直線状に延びる壁部である場合に比べ、作業者は第二突出部８５に着目し易い。故に作業者は液体収容袋１３に収容した液体が二種類の液体の何れであるかを容易に判別できる。
【００８０】
第一載置部７４は第一突出部８３と第二突出部８５が対向する左右方向に延びる平面部である（図７参照）。作業者は左右方向に延びる第一載置部７４の上下方向の位置を基準にして、第一突出部８３と第二突出部８５の長さを確認できる。第一載置部７４がない場合に比べ、作業者は第一突出部８３と第二突出部８５の長さの差を確認し易い。故に作業者は容易に液体の種類を判別できる。
【００８１】
平面部である第一載置部７４は口栓７０を支持できる。液体収容体３１がカートリッジ３の第一ケース３３に装着した時、第一ケース３３は第一載置部７４を支持する。液体収容体３１の姿勢は安定する。第一載置部７４が第一ケース３３を支持した状態でも、作業者は第一突出部８３と第二突出部８５の長さの差を確認し易い。故に作業者は容易に液体の種類を判別できる。
【００８２】
取付部８０は第一姿勢と第二姿勢において口栓７０に係合する係合孔部８１３，８１４を備える。作業者は１種類の取付部８０を用いて、口栓７０に係合する姿勢を第一姿勢と第二姿勢の間で切替えて、口栓７０に対する第一突出部８３と第二突出部８５の位置関係を切替え可能である。故に、液体の種類を判別可能な２種類の液体収容体３１は容易に製造できる。仮に第一突出部８３と第二突出部８５は口栓７０と一体的に形成する場合、第一突出部８３と第二突出部８５を入れ替えた２種類の口栓７０が必要である。該場合に比べ、液体収容体３１とカートリッジ３はコストを低くできる。
【００８３】
図８に示す如く、第一姿勢にある第一突出部８３の左右方向中心と口栓７０の右端部の距離を第一距離Ｌ４とする。第一姿勢にある第二突出部８５の左右方向中心と口栓７０の左端部の距離を第二距離Ｌ５とする。図１２に示す如く、取付部８０が第二姿勢である場合、第一突出部８３が左右方向に延びる領域は口栓７０からの距離が第二距離Ｌ５となる位置を含む。第二突出部８５が左右方向に延びる領域は口栓７０からの距離が第一距離Ｌ４となる位置を含む。
【００８４】
取付部８０が第一姿勢と第二姿勢の間で切替わっても、第一突出部８３と第二突出部８５が対向する左右方向において、口栓７０に対する第一突出部８３と第二突出部８５の位置関係は略同じである。故に作業者は、口栓７０に対する第一突出部８３と第二突出部８５の左右方向における位置関係を考慮することなく、第一突出部８３と第二突出部８５の突出方向長さの違いに着目できる。作業者は第一突出部８３と第二突出部８５の長さの違いを判別し易い。作業者は液体収容体３１に収容したインクの種類を容易に判別できる。
【００８５】
第一突出部８３は第一開口部３７１，３７２から突出する（図１０、図１３参照）。例えば、図１０に示す如く、取付部８０が第一姿勢である場合、第一突出部８３は第一ケース３３における右側の第一開口部３７２から突出する。作業者は第一開口部３７２から突出する第一突出部８３を第一ケース３３の外側から目視できる。作業者はカラーインクを充填した液体収容体３１を内部に配置したカートリッジ３であることを確認できる。
【００８６】
図１３に示す如く、取付部８０が第二姿勢である場合、第一突出部８３は第一ケース３３における左側の第一開口部３７１から突出する。作業者は第一開口部３７１から突出する第一突出部８３を第一ケース３３の外側から目視できる。作業者は白インクを充填した液体収容体３１を内部に配置したカートリッジ３であることを確認できる。故に作業者は第一ケース３３から突出する第一突出部８３の位置を確認するので、液体収容袋１３が収容するインクの種類を判別できる。作業者は第二ケース４０を第一ケース３３から取り外してインクの種類を確認する必要がない。
【００８７】
図１０、図１３に示す如く、第一開口部３７１，３７２から突出する第一突出部８３と第一係合爪８３４は溝部３６１，３６２に配置する。第一突出部８３と第一係合爪８３４は支持壁部３４の下端から下方に突出しない。カートリッジ３は机等の平面に置いた場合、第一突出部８３と第一係合爪８３４は平面に接触しない。故に、第一突出部８３、第一係合爪８３４の破損を抑制できるので、液体収容袋１３に収容したインク種類が判別困難になる事を防止できる。第一係合爪８３４の破損を抑制するので、第一係合爪８３４と第一ケース３３の係合は解除し難い。故に液体収容体３１が第一ケース３３から外れる事を防止できる。第一突出部８３と第一係合爪８３４が平面に接触しないので、カートリッジ３の姿勢が不安定になる事を防止できる。
【００８８】
第二突出部８５は第二開口部３９１，３９２に係合する。第二突出部８５が第二開口部３９１，３９２に係合しない場合に比べ、液体収容体３１は第一ケース３３から外れ難い。第二突出部８５は板状に形成して軸線方向に直交する方向である下方向に延び、下端部で屈曲して反対側に延びる。第二突出部８５は弾性変形可能である。第二突出部８５は第二開口部３９１，３９２に弾性力で係合できる。第二突出部８５が弾性変形しない場合に比べ、液体収容体３１は第一ケース３３から外れ難い。第一突出部８３は確実に第一開口部３７１，３７２から突出する。故に液体の種類が判別困難になる事を防止できる。
【００８９】
第一突出部８３と第二突出部８５は夫々第一係合爪８３４と第二係合爪８５６を有する。第一係合爪８３４と第二係合爪８５６がない場合に比べ、液体収容体３１は第一ケース３３から外れ難い。第一突出部８３は確実に第一開口部３７１，３７２から突出する。故に液体収容袋１３に収容したインクの種類が判別困難になる事を防止できる。
【００９０】
図１０に示す如く、口栓７０と第一載置部７４は第一係合爪８３４と第二係合爪８５６の中心位置を含む領域に設ける。口栓７０又は第一載置部７４が第一係合爪８３４と第二係合爪８５６の中心位置を含まない領域に設けた場合に比べ、第一係合爪８３４と第二係合爪８５６に作用する口栓７０を保持する力は均等に分散する。口栓７０は斜めに傾き難いので、第一係合爪８３４と第一ケース３３の係合、第二係合爪８５６と第一ケース３３の係合が解除する事を防止できる。故に、液体収容体３１が第一ケース３３から外れる事を防止できる。第一突出部８３は確実に第一開口部３７１，３７２から突出する。インクの種類が判別困難になる事を防止できる。
【００９１】
第一開口部３７１，３７２は第一姿勢又は第二姿勢にある取付部８０の第一突出部８３に対応する位置に設ける。開口壁部３８１，３８２は第一姿勢又は第二姿勢にある取付部８０の第二突出部８５に対応する位置に設ける。口栓７０に係合する１種類の取付部８０が第一姿勢と第二姿勢で切替わることで、口栓７０に対する第一突出部８３と第二突出部８５の位置関係は切替わる。故に口栓７０は第一ケース３３に装着できる。取付部８０が第一姿勢と第二姿勢の何れでも、第一突出部８３は第一開口部３７１，３７２から突出する。故に作業者は第一開口部３７１，３７２から突出する第一突出部８３を確認するので、インクの種類を判別できる。
【００９２】
第一突出部８３と第二突出部８５は口栓７０を隔てた位置で第一ケース３３に係合する。例えば一つの係合突起が口栓から突起してケースの係合孔に係合する場合に比べ、口栓７０と第一ケース３３の係合は解除し難い。第二突出部８５は弾性力で第二開口部３９１，３９２と係合する。第二突出部８５が弾性変形しない状態で第二開口部３９１，３９２と係合する場合に比べ、口栓７０は第二突出部８５、口栓７０、第一突出部８３が並ぶ左右方向にずれ難い。第一突出部８３と第一開口部３７１，３７２の係合は解除し難い。第二突出部８５と第二開口部３９１，３９２の係合は解除し難い。故に、液体収容体３１が第一ケース３３から外れる事を防止できる。
【００９３】
第一係合爪８３４は支持壁部３４の外面３４５に係合する。第一係合爪８３４がない場合に比べ、口栓７０は支持壁部３４から離れる方向である上方向に移動し難い。第一係合爪８３４と第一開口部３７１，３７２の係合は解除し難い。故に、口栓７０が支持壁部３４から浮く事を防止できる。第二係合爪８５６は開口壁部３８１，３８２と係合する。第二係合爪８５６がない場合に比べ、第二突出部８５と開口壁部３８１，３８２との係合は解除し難い。故に、液体収容体３１が第一ケース３３から外れる事を防止できる。
【００９４】
口栓ユニット７は第一載置部７４と第二載置部７５を備える。支持壁部３４の第一支持部３４６と第二支持部３４７は口栓７０を支持する。口栓７０を一か所で支持する場合に比べ、口栓７０の姿勢は安定する。第一係合爪８３４と第一ケース３３の係合は解除し難い。第二係合爪８５６と第一ケース３３の係合は解除し難い。故に、液体収容体３１が第一ケース３３から外れる事を防止できる。
【００９５】
取付部８０は口栓７０とは別体である。故に取付部８０は、本実施形態の口栓７０に限らず、種々の口栓に容易に取付けできる。例えば作業者は使用済みの液体収容体３１の口栓７０から取付部８０を取り外し、新品の液体収容体３１の取付部８０として再利用できる。故に取付部８０は液体収容体３１がケース３２から外れる事を防止できる構造を容易に実現する。
【００９６】
以上の如く、本実施形態の液体収容体３１は第一ケース３３から外れ難い。故に作業者が第一ケース３３の外側から第一突出部８３の位置を確認できる。作業者は液体収容袋１３が収容するインクの種類を確実に判別できる。
【００９７】
電気基板９８を保持したホルダ９０は取付部８０に対して突出方向反対側の上側に配置する。作業者は電気基板９８を保持した液体収容体３１を確実に第一ケース３３に装着できる。ホルダ係合部９１２，９１３に設けたホルダ爪９１４，９１５は延伸壁部８７１，８７２に設けた係合開口部８７３，８７４に係合する。ホルダ爪９１４，９１５が係合開口部８７３、８７４に係合しない場合に比べ、液体収容体３１は確実に電気基板９８を保持できる。
【００９８】
ホルダ９０は後方に延びる延伸部９３と延伸部９３から上側に突起する突起部９４を備える。延伸部９３と突起部９４がない場合に比べ、作業者はホルダ９０の向きを把握し易い。作業者がホルダ９０を取付部８０に取付ける場合、ホルダ９０を誤った向きで配置する事を防止できる。電気基板９８は正しい向きに配置するので、プリンタ１のＣＰＵと電子部品９８１は確実に電気的に接続する。
【００９９】
上記実施形態において、液体収容袋１３は本発明の液体収容部の一例である。第一載置部７４は本発明の平面部の一例である。係合孔部８１３，８１４は本発明の係合部の一例である。
【０１００】
本発明は上記実施形態に限らず種々変更可能である。作業者が第一突出部８３と第二突出部８５を確認して判別する液体種類はインクに限らない。例えば作業者は第一突出部８３と第二突出部８５で布帛を染めた色を脱色する抜染剤とインクを判別してもよい。該場合、抜染剤を収容した液体収容体３１は第一突出部８３を口栓７０の右側に配置し、第二突出部８５を口栓７０の左側に配置する。インクを収容した液体収容体３１は第二突出部８５を口栓７０の右側に配置し、第一突出部８３を口栓７０の左側に配置する。作業者は第一突出部８３と第二突出部８５で粘度の異なる二種類の液体を判別してもよい。
【０１０１】
カートリッジ３は二つの溝部３６１，３６２に代えて、一つの溝部を設けてもよい。カートリッジ３は二つの第一開口部３７１，３７２に代えて、一つの第一開口部を設けてもよい。カートリッジ３は一つの溝部に一つの第一開口部を設け、一つの第一開口部に第一突出部を突出させて係合させるだけでもよい。カートリッジ３は二つの第二開口部３９１，３９２に代えて、一つの第二開口部を設けてもよい。カートリッジ３は一つの第二開口部に第二突出部を係合させるだけでもよい。例えば、取付部８０が第一姿勢にある液体収容体３１を取付けるケースは、第一開口部３７２、第二開口部３９１、溝部３６２を設けてもよい。取付部８０が第二姿勢にある液体収容体３１を取付けるケースは、第一開口部３７１、第二開口部３９２、溝部３６１を設けてもよい。
【０１０２】
溝部３６１，３６２は設けなくてもよい。第一開口部３７１，３７２は支持壁部３４の溝部でない部分に設けてもよい。該場合、第一突出部８３の第一係合爪８３４は第一開口部３７１，３７２を介して、支持壁部３４の溝部ではない外面３４５に係合してもよい。該場合、第一突出部８３は外面３４５から下方に突出する。カートリッジ装着部８の開口部１２０Ａ〜１２０Ｆは突起部１２１，１２２を設けるのに代えて、下方に凹む凹部を設けてもよい。カートリッジ３が開口部１２０Ａ〜１２０Ｆに装着する場合に、第一突出部８３と第二突出部８５は凹部を通過できる。
【０１０３】
第一突出部８３と第二突出部８５は口栓７０と別体の取付部８０に設けるのに代えて、口栓７０と一体的に形成してもよい。
【０１０４】
第二突出部８５の突出方向長さは第一突出部８３の突出方向長さよりも短ければよい。第一突出部８３と第二突出部８５の各形状は本実施形態と異なってもよい。第一突出部８３と第二突出部８５は軸線Ｘ方向に直交する方向に延びるのに代えて、軸線Ｘ方向と交わる方向に延びてもよい。第一突出部８３と第二突出部８５は軸線Ｘ方向に正確に直交した方向に延びなくてもよい。第二突出部８５は突出端部で湾曲して弾性変形する部位を有さず、第一突出部８３のように液体収容袋１３の面に交わる方向に延びてもよい。この場合、第一突出部８３の第一係合爪８３４は、溝部３６１における外面３４５側に係合する。  第一係合爪８３４と第二係合爪８５６は設けなくてもよい。該場合、例えば第一突出部８３と第二突出部８５は圧入によって第一ケース３３に係合してもよい。ホルダ９０は延伸部９３と突起部９４を備えなくてもよい。ホルダ９０と電気基板９８は口栓ユニット７に設けなくてもよい。取付部８０は電気基板９８を備えなくてもよい。口栓７０と第一載置部７４は左右方向において第一係合爪８３４と第二係合爪８５６の中心位置を含まなくてもよい。第一載置部７４と第一支持部３４６は設けなくてもよい。第二載置部７５と第二支持部３４７は設けなくてもよい。第二ケース４０は設けなくてもよい。
【０１０５】
液体収容体３１とカートリッジ３はプリンタ１以外の装置に装着して使用してもよい。液体収容体３１はプリンタ１又はそれ以外の装置に装着せずに使用してもよい。
【０１０６】
図８、図１３の第一距離Ｌ４と第二距離Ｌ５に示す如く、取付部８０が第一姿勢と第二姿勢との間で切替わっても、第一突出部８３と第二突出部８５が対向する左右方向において、口栓７０と第一突出部８３と第二突出部８５の位置関係は略同じである。この位置関係の他の例を説明する。
【０１０７】
図１７に示す口栓ユニット７０１は図８に示す口栓ユニット７に比べ、取付部８０１の土台部８０３の右方向の長さが長く、第一突出部８３が右方に位置する。取付部８０１は第一姿勢である。係合孔部８１９は土台部８０３の左右方向中央に設ける。係合孔部８１９は土台部８０３を上下方向に貫通する。係合孔部８１９は円筒部７２４の上側にある。取付部８０１はネジ９９で係合孔部８１９を介して口栓７０に係合する。
【０１０８】
図１８に示す如く、取付部８０１が第二姿勢になると、図１２に示す口栓ユニット７に比べ、第二突出部８５は右方に位置する。係合孔部８１９は円筒部７２４の上側に位置する。取付部８０１はネジ９９（図９参照）によって、係合孔部８１９を介して口栓７０に係合する。土台部８０３は第一姿勢と第二姿勢の夫々において凸部７２８（図９参照）を配置する孔部（図示略）を設ける。口栓ユニット７０１はホルダ９０と電気基板９８を設けてもよい。
【０１０９】
図１７に示す如く、第一姿勢にある第一突出部８３の左右方向中心と口栓７０の右端部と間の距離を第一距離Ｌ６とする。第一姿勢にある第二突出部８５の左右方向中心と口栓７０の左端部の間の距離を第二距離Ｌ７とする。図１８に示す如く、取付部８０１が第二姿勢である場合、第一突出部８３の左右方向中心と口栓７０からの距離が第二距離Ｌ７である。第二突出部８５の左右方向中心と口栓７０からの距離が第一距離Ｌ６である。
【０１１０】
故に取付部８０が第一姿勢と第二姿勢との間で切替わっても、第一突出部８３と第二突出部８５とが対向する左右方向において、口栓７０と第一突出部８３と第二突出部８５の位置関係は略同じである。作業者は上記実施形態と同様に、口栓７０と第一突出部８３と第二突出部８５の位置関係を考慮することなく、液体収容体３１に収容したインクの種類を容易に判別できる。
【０１１１】
本変形例において、係合孔部８１９は本発明の係合部の一例である。取付部８０が第一姿勢と第二姿勢との間で切替わった場合、第一突出部８３と第二突出部８５が対向する左右方向において、口栓７０と第一突出部８３と第二突出部８５の位置関係は略同じでなくてもよい。
【符号の説明】
【０１１２】
１３    液体収容袋
３１    液体収容体
３２    ケース
３４    支持壁部
７０    口栓
７４    第一載置部
８０，８０１    取付部
８３    第一突出部
８５    第二突出部
３４４    内面
３４５    外面
３６１，３６２    溝部
３７１，３７２    第一開口部
３９１，３９２    第二開口部
８１３，８１４，８１９    係合孔部
８３４    第一係合爪
８５６    第二係合爪
【図１】
2015199331.tif 000003
【図２】
2015199331.tif 000004
【図３】
2015199331.tif 000005
【図４】
2015199331.tif 000006
【図５】
2015199331.tif 000007
【図６】
2015199331.tif 000008
【図７】
2015199331.tif 000009
【図８】
2015199331.tif 000010
【図９】
2015199331.tif 000011
【図１０】
2015199331.tif 000012
【図１１】
2015199331.tif 000013
【図１２】
2015199331.tif 000014
【図１３】
2015199331.tif 000015
【図１４】
2015199331.tif 000016
【図１５】
2015199331.tif 000017
【図１６】
2015199331.tif 000018
【図１７】
2015199331.tif 000019
【図１８】
2015199331.tif 000020